【手続補正書】
【提出日】平成23年9月12日(2011.9.12)
【手続補正１】
【補正対象書類名】明細書
【補正対象項目名】０００８
【補正方法】変更
【補正の内容】
【０００８】
上記目的は、周方向に複数の磁極が設けられた回転子と、前記回転子に空隙を介して配置された固定子とを備えた回転電機において、前記固定子は、前記回転子の磁極がなす電気角３６０度以内に、ティースと第１のコイルターンと前記第１のコイルターンに直列かつ逆極性をなす第２のコイルターンとによって形成される２の同相の固定子磁極を有し、前記第１のコイルターンと前記第２のコイルターンは、それぞれ周方向角度幅が電気角１８０度よりも小さく巻回され、前記第１のコイルターンと前記第２のコイルターンの間に他相の固定子磁極の一部を形成するティースを挟んで設けられたことにより達成される。
【手続補正２】
【補正対象書類名】特許請求の範囲
【補正対象項目名】全文
【補正方法】変更
【補正の内容】
【特許請求の範囲】
【請求項１】
周方向に複数の磁極が設けられた回転子と、
前記回転子に空隙を介して配置された固定子とを備えた回転電機において、
前記固定子は、前記回転子の磁極がなす電気角３６０度以内に、ティースと第１のコイルターンと前記第１のコイルターンに直列かつ逆極性をなす第２のコイルターンとによって形成される２の同相の固定子磁極を有し、
前記第１のコイルターンと前記第２のコイルターンは、それぞれ周方向角度幅が電気角１８０度よりも小さく巻回され、前記第１のコイルターンと前記第２のコイルターンの間に他相の固定子磁極の一部を形成するティースを挟んで設けられたことを特徴とする回転電機。
【請求項２】
請求項１記載の回転電機であって、
前記第１のコイルターンと前記第２のコイルターンとが互いに電気角１８０度ずらして設けられている回転電機。
【請求項３】
請求項１記載の回転電機であって、
前記固定子は、３つの相で前記固定子磁極を構成し、互いに電気角１２０度ずつずらして配置されている回転電機。
【請求項４】
請求項１記載の回転電機であって、
前記第１のコイルターン及び前記第２のコイルターンは、それぞれ周方向角度幅が電気角９０度、あるいは１２０度、もしくは１５０度である回転電機。
【請求項５】
請求項１記載の回転電機であって、
前記固定子は、前記第１のコイルターン及び前記第２のコイルターンの２つのスロット挿入部のうち、一方をスロットの回転子に近い位置に、他方をスロットの回転子から遠い位置に配置した回転電機。
【請求項６】
請求項１記載の回転電機であって、
前記固定子は、前記回転子の磁極によって定義される電気角３６０度以内に、２または３のターン数を有する前記第１のコイルターン及び前記第２のコイルターンによって形成される同相の固定子磁極が２つ配置されるようにコイルが巻回されている回転電機。
【請求項７】
請求項１記載の回転電機であって、
前記固定子は、１つの前記固定子磁極を構成するために周方向角度幅が電気角１２０度をなすようにコイルを巻回した後、最後に挿入したスロットから電気角１８０度離れたスロットに当該コイルを挿入し、当該スロットから前記固定子磁極を構成する前記第１のコイルターンとは逆向きに同相のコイルを巻回して他の固定子磁極を構成した回転電機。
【請求項８】
請求項１記載の回転電機であって、
前記固定子は、１つの前記固定子磁極を構成するために周方向角度幅が電気角１２０度をなすようにコイルを半整数回巻回した後、最後に挿入したスロットから電気角１８０度離れたスロットに当該コイルを挿入し、当該スロットから前記固定子磁極を構成する前記第１のコイルターンとは逆向きに同相のコイルを巻回して他の固定子磁極を構成した回転電機。
【請求項９】
請求項１記載の回転電機であって、
前記固定子は、コイルをその周方向角度幅が電気角１２０度をなすように巻回して正巻きの前記固定子磁極を構成し、当該コイルが最後に挿入されたスロットから電気角２４０度離れたスロットに当該コイルを挿入して前記正巻きの固定子磁極を構成する前記第１のコイルターンと同じ向きにコイルを巻回して次の正巻きの前記固定子磁極を構成するとともに、前記電気角２４０度内に、前記正巻きの固定子磁極とは位相が１８０度ずれるように、コイルをその周方向角度幅が電気角１２０度をなすように前記正巻きの前記固定子磁極とは逆巻きに巻回して逆巻きの固定子磁極を構成し、当該コイルが最後に挿入されたスロットから電気角２４０度離れたスロットに当該コイルを挿入して、当該スロットから、前記逆巻きの固定子磁極を構成する前記第２のコイルターンと同じ向きにコイルを巻回して次の逆巻きの前記固定子磁極を構成した回転電機。
【請求項１０】
請求項９記載の回転電機であって、
前記正巻きのコイル及び前記逆巻きのコイルとは異なる他のコイルを、正巻きおよび逆巻きの前記第１のコイルターン及び前記第２のコイルターンそれぞれが挿入されている２つのスロットのいずれか一方に挿入するとともに、電気角１８０度の位相差をなす波巻に巻回した回転電機。
【請求項１１】
請求項１記載の回転電機であって、
前記固定子は、コイルをその周方向角度幅が電気角１２０度をなすように波巻に巻回して正巻きの前記固定子磁極を構成し、当該コイルが最後に挿入されたスロットから電気角２４０度離れたスロットに当該コイルを挿入して、前記正巻きの固定子磁極を構成する前記第１のコイルターンと同じ向きに前記コイルを波巻に巻回して次の正巻きの前記固定子磁極を構成するとともに、前記正巻きのコイルで越えた電気角２４０度内に、前記正巻きの固定子磁極とは位相が１８０度ずれるように、コイルをその周方向角度幅が電気角１２０度をなすようにコイルを前記正巻きの前記固定子磁極とは逆巻きに波巻に巻回して逆巻きの固定子磁極を構成し、当該コイルが最後に挿入されたスロットから電気角２４０度離れたスロットに当該コイルを挿入して、前記逆巻きの固定子磁極を構成する前記第２のコイルターンと同じ向きに前記コイルを波巻に巻回して次の逆巻きの前記固定子磁極を構成した回転電機。
【請求項１２】
請求項１において、
前記第１のコイルターンと前記第２のコイルターンは、互いに重ならないように設けられたことを特徴とする回転電機。
【請求項１３】
請求項１記載の回転電機であって、
前記固定子は、１つの前記固定子磁極を構成するために周方向角度幅が電気角１５０度をなすようにコイルを巻回した後、最後に挿入したスロットから電気角１８０度離れたスロットに当該コイルを挿入し、当該スロットから前記固定子磁極を構成する前記第１のコイルターンとは逆向きに同相のコイルを巻回して他の固定子磁極を構成した回転電機。
【請求項１４】
請求項１記載の回転電機であって、
前記固定子は、１つの前記固定子磁極を構成するために周方向角度幅が電気角１５０度をなすようにコイルを半整数回巻回した後、最後に挿入したスロットから電気角１８０度離れたスロットに当該コイルを挿入し、当該スロットから前記固定子磁極を構成する前記第１のコイルターンとは逆向きに同相のコイルを巻回して他の固定子磁極を構成した回転電機。
【請求項１５】
請求項１記載の回転電機であって、
前記固定子は、コイルをその周方向角度幅が電気角１５０度をなすように巻回して正巻きの前記固定子磁極を構成し、当該コイルが最後に挿入されたスロットから電気角２４０度離れたスロットに当該コイルを挿入して前記正巻きの固定子磁極を構成する前記第１のコイルターンと同じ向きにコイルを巻回して次の正巻きの前記固定子磁極を構成するとともに、前記電気角２４０度内に、前記正巻きの固定子磁極とは位相が１５０度ずれるように、コイルをその周方向角度幅が電気角１５０度をなすように前記正巻きの前記固定子磁極とは逆巻きに巻回して逆巻きの固定子磁極を構成し、当該コイルが最後に挿入されたスロットから電気角２４０度離れたスロットに当該コイルを挿入して、当該スロットから、前記逆巻きの固定子磁極を構成する前記第２のコイルターンと同じ向きにコイルを巻回して次の逆巻きの前記固定子磁極を構成した回転電機。
【請求項１６】
請求項１５記載の回転電機であって、
前記正巻きのコイル及び前記逆巻きのコイルとは異なる他のコイルを、正巻きおよび逆巻きの前記第１のコイルターン及び前記第２のコイルターンそれぞれが挿入されている２つのスロットのいずれか一方に挿入するとともに、電気角１８０度の位相差をなす波巻に巻回した回転電機。
【請求項１７】
請求項１記載の回転電機であって、
前記固定子は、コイルをその周方向角度幅が電気角１５０度をなすように波巻に巻回して正巻きの前記固定子磁極を構成し、当該コイルが最後に挿入されたスロットから電気角２４０度離れたスロットに当該コイルを挿入して、前記正巻きの固定子磁極を構成する前記第１のコイルターンと同じ向きに前記コイルを波巻に巻回して次の正巻きの前記固定子磁極を構成するとともに、前記正巻きのコイルで越えた電気角２４０度内に、前記正巻きの固定子磁極とは位相が１８０度ずれるように、コイルをその周方向角度幅が電気角１５０度をなすようにコイルを前記正巻きの前記固定子磁極とは逆巻きに波巻に巻回して逆巻きの固定子磁極を構成し、当該コイルが最後に挿入されたスロットから電気角２４０度離れたスロットに当該コイルを挿入して、前記逆巻きの固定子磁極を構成する前記第２のコイルターンと同じ向きに前記コイルを波巻に巻回して次の逆巻きの前記固定子磁極を構成した回転電機。